(57)【要約】【課題】反射部を薄型化しつつ、発光領域を明るく発光させることで、優れた見映えを獲得した指針、及びこの指針を備えた指針表示装置の提供。【解決手段】表示板５０及び光源６０を備える指針表示装置１００に設けられ、表示板５０の表示面５１に沿って変位する指針２０は、光源６０から放射された入射させる入射部３１と、表示面５１に沿って延伸する形状の指針部２５と、入射部３１から入射させた光を指針部２５に向けて反射させる反射部３６と、を備えている。反射部３６は、入射部３１に入射する入射光の光軸ＯＡＸ_ｉに対して傾斜する姿勢に形成され、かつ、互いに離間した複数の傾斜面３７、に分割されている。一方、入射部３１は、反射部３６において焦点を結ぶように凸状に湾曲することで、反射部３６に光を集光させるレンズ３４を有している。【選択図】図７
2014163701.tif 000002
【特許請求の範囲】
【請求項１】
表示部材（５０）及び光源（６０）を備える指針表示装置（１００）に設けられ、前記表示部材の表示面（５１）に沿って変位する指針であって、
前記光源から放射された光を前記指針に入射させる入射部（３１，２３１）と、
光を出射させることで発光する発光領域（２６）が形成され、前記表示面に沿って延伸する形状の延伸部（２５）と、
前記入射部から入射させた光を前記延伸部に向けて反射させる反射部（３６，２３６）と、を備え、
前記反射部は、前記入射部に入射する入射光の光軸（ＯＡＸ_ｉ）に対して傾斜する姿勢に形成され、かつ、互いに離間した複数の傾斜面（３７，２３７）、に分割されており、
前記入射部は、前記反射部において焦点を結ぶように凸状に湾曲することで、前記反射部に光を集光させるレンズ面（３４，２３４）、を有することを特徴とする指針。
【請求項２】
互いに隣接する各前記傾斜面の間に設けられることでこれらの傾斜面を連結し、かつ、前記傾斜面にて反射された反射光の光軸（ＯＡＸ_ｒ）に沿う姿勢に形成される連結面（３８，２３８）、を備えることを特徴とする請求項１に記載の指針。
【請求項３】
前記入射部には、複数の前記レンズ面が形成されることを特徴とする請求項１又は２に記載の指針。
【請求項４】
前記入射部は、前記入射光の光軸と交差する姿勢に形成される基準面（３２）、及び前記反射部から離間する方向に前記基準面から突出し、突出方向の頂面（３３ａ）に前記レンズ面を形成する複数の突出体（３３）、を有し、
各前記突出体の前記基準面からの高さは、各前記頂面に形成された各前記レンズ面が前記反射部にて焦点を結ぶよう、規定されることを特徴とする請求項３に記載の指針。
【請求項５】
各前記レンズ面における湾曲の曲率は、前記延伸部から離れて位置する前記レンズ面ほど、大きく設定されることを特徴とする請求項３又は４に記載の指針。
【請求項６】
前記表示面に沿って回転変位する指針であって、
前記傾斜面は、前記指針の回転軸線（ＲＡＬ）に沿って規定される特定の中心軸線（ＣＡＬ）まわりに、周方向に沿って延伸し、
複数の前記レンズ面は、前記中心軸線まわりに、周方向に沿って並べられることを特徴とする請求項３〜５のいずれか一項に記載の指針。
【請求項７】
前記表示面に沿って回転変位する指針であって、
前記傾斜面は、前記指針の回転軸線（ＲＡＬ）に沿って規定される特定の中心軸線（ＣＡＬ）まわりに、周方向に沿って延伸し、
前記レンズ面は、前記中心軸線まわりに、周方向に沿って延伸することを特徴とする請求項１〜６のいずれか一項に記載の指針。
【請求項８】
請求項１〜７のいずれか一項に記載の指針（２０，２２０）と、
前記指針に入射される光を放射する前記光源と、
前記指針と共に情報の表示を形成する前記表示面、を有する前記表示部材と、
を備えることを特徴とする指針表示装置。
【発明の詳細な説明】
【技術分野】
【０００１】
本発明は、指針表示装置の表示面に沿って変位する指針、及びこの指針を備えた指針表示装置に関する。
【背景技術】
【０００２】
従来から、例えば特許文献１に開示のような計器の指針は、光源から放射された光を入射させる入射面、及び入射面から入射させた光を指示部に向けて反射させる反射面を有していた。こうした構成により、指針は、指示部の表面から光を出射させることで、この指示部を発光表示させることが可能であった。
【先行技術文献】
【特許文献】
【０００３】
【特許文献１】実開平０７−００６４８４号公報
【発明の概要】
【発明が解決しようとする課題】
【０００４】
さて、特許文献１に開示のような指針において、反射面は、一つの平面によって形成され、かつ、入射面に入射する光の光軸に対して傾斜した姿勢とされている。故に、反射面から指示部へと反射される光の量を増加させるべく、最適な傾斜角度を維持したまま、反射面を設ける範囲を拡大しようとすると、光軸に沿う方向での反射面の寸法も、大きくなってしまう。そのため、大型化した反射面によって、指針の見映えが悪化し得た。一方で、反射面の寸法を小さく抑えたままでは、指示部に向けて反射される光の量は、確保され難い。そのため、指示部表面の発光領域を明るく発光させることが困難となり、指針の見映えは、不十分なものとなり得た。
【０００５】
本発明は、上記問題点に鑑みてなされたものであって、その目的は、反射部を薄型化しつつ、発光領域を明るく発光させることで、優れた見映えを獲得した指針、及びこの指針を備えた指針表示装置、を提供することである。
【課題を解決するための手段】
【０００６】
上記目的を達成するために、請求項１に記載の発明は、表示部材（５０）及び光源（６０）を備える指針表示装置（１００）に設けられ、表示部材の表示面（５１）に沿って変位する指針であって、光源から放射された光を指針に入射させる入射部（３１，２３１）と、光を出射させることで発光する発光領域（２６）が形成され、表示面に沿って延伸する形状の延伸部（２５）と、入射部から入射させた光を延伸部に向けて反射させる反射部（３６，２３６）と、を備え、反射部は、入射部に入射する入射光の光軸（ＯＡＸ_ｉ）に対して傾斜する姿勢に形成され、かつ、互いに離間した複数の傾斜面（３７，２３７）、に分割されており、入射部は、反射部において焦点を結ぶように凸状に湾曲することで、反射部に光を集光させるレンズ面（３４，２３４）、を有することを特徴としている。
【０００７】
この発明のように、反射部が互いに離間した複数の傾斜面に分割された構成であれば、入射光の光軸に対する傾斜面の最適な傾斜角度を維持しつつ、反射部の設けられる範囲を拡大したとしても、光軸に沿った方向での反射部の寸法は、抑制され得る。
【０００８】
加えて、入射部のレンズ面が反射部に光を集光させるので、反射部から延伸部へと反射される光は、増加し得る。さらに、上述の如く反射部が薄型化されているので、この反射部において焦点を結ぶようにレンズ面を凸状に湾曲させれば、レンズ面の焦点が合う反射部の領域は、いっそう拡大され得る。故に、反射部から延伸部へと反射される光は、さらに多く確保され得る。
【０００９】
以上によれば、反射部を薄型化したうえで、発光領域を明るく発光させることができるようになる。したがって、指針は、優れた見映えを獲得できる。
【００１０】
尚、上記括弧内の参照番号は、本発明の理解を容易にすべく、後述する実施形態における具体的な構成との対応関係の一例を示すものにすぎず、なんら本発明の範囲を制限することを意図したものではない。
【図面の簡単な説明】
【００１１】
【図１】本発明の第一実施形態によるコンビネーションメータの正面図である。
【図２】本発明の第一実施形態による指針の構成を示す図であって、図１のＩＩ−ＩＩ線断面図である。
【図３】本発明の第一実施形態によるコンビネーションメータの電気的構成を示すブロック図である。
【図４】図２の矢印ＩＶの方向から見たポインタの上面を模式的に示す模式図である。
【図５】反射部の構成を模式的に示す図であって、図４の領域Ｖを拡大した拡大図である。
【図６】反射部の構成を示す図であって、図２の領域ＶＩを拡大した拡大図である。
【図７】入射部の構成を示す図であって、図２の領域ＶＩＩを拡大した拡大図である。
【図８】入射部の構成を示す図であって、図２の矢印ＶＩＩＩの方向から見た導光部の底面図である。
【図９】本発明の第二実施形態による指針の底面を模式的に示す模式図である。
【図１０】図７の変形例を示す図であって、入射部の構成を示す拡大図である。
【発明を実施するための形態】
【００１２】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１３】
（第一実施形態）
図１に示す本発明の第一実施形態によるコンビネーションメータ１００は、車両に関する種々の情報の表示する指針表示装置である。コンビネーションメータ１００は、車両の車室内に設けられたインスツルメントパネル内に収容され、図１に示す正面側を運転席側に向けて配置されている。
【００１４】
コンビネーションメータ１００は、タコメータ１９及びスピードメータ１０等の複数の計器によって構成されている。スピードメータ１０は、コンビネーションメータ１００の搭載された車両の走行速度を、情報として視認者へ向けて表示する。スピードメータ１０による情報の表示は、表示板５０に形成された目盛部１２、数字部１３、及び単位部１４等の意匠部と、表示板５０の表示面５１に沿って回転する指針２０等とを組み合わせることによって形成される。
【００１５】
図１，２に示すように、コンビネーションメータ１００は、表示板５０、指針２０、光源６０、ステッパーモータ８１を備えている。
【００１６】
表示板５０は、円盤状に形成されている。表示板５０において、表示面５１の反対側には、拡散板５２が配置されている。表示板５０には、コンビネーションメータ１００から運転席側に向かう表示方向への光が拡散板５２から入射する。表示板５０は、拡散板５２から入射した光を透過させることによって、各意匠部１２〜１４を発光させる。表示板５０及び拡散板５２の各中央部分には、これら構成５０，５２を板厚方向に貫通する円形の開口５３が形成されている。
【００１７】
指針２０は、キャップ２１及びポインタ２３等を組み合わせることによって構成されている。キャップ２１は、遮光性の樹脂によって形成されている。キャップ２１は、表示板５０の中央部分に配置されており、ポインタ２３の基端部分及び開口５３を表示方向から覆っている。ポインタ２３は、例えばアクリル樹脂等の透光性の樹脂材料によって形成されている。ポインタ２３は、指針部２５、軸部２９、及び導光部２８を有している。
【００１８】
指針部２５は、表示板５０の径方向外側に向けて導光部２８から延伸している。指針部２５は、表示面５１に沿った形状であるである。指針部２５には、指針反射面２７及び発光領域２６が形成されている。指針反射面２７は、発光領域２６に対し、表示方向とは反対の方向（以下「背面方向」という）に形成されている。指針反射面２７は、導光部２８から離間するに従って、表示面５１からも僅かに離間するよう、傾斜した姿勢に形成されている。指針反射面２７は、導光部２８によってポインタ２３内に導光された光を表示方向に反射させる。発光領域２６は、指針反射面２７の表示方向に形成されている。発光領域２６は、指針反射面２７にて反射された光を表示方向に出射させることにより、発光する。
【００１９】
軸部２９は、導光部２８の中央から背面方向に、円筒状に延伸している。軸部２９は、開口５３を貫通するように配置されている。軸部２９は、円筒状に形成された遮光壁４６内にて、ステッパーモータ８１に取り付けられている。
【００２０】
導光部２８は、ポインタ２３の基端部分であって、キャップ２１によって覆われている。これにより導光部２８は、表示方向から視認されないように隠されている。導光部２８は、開口５３の表示方向に配置されている。導光部２８は、入射部３１及び反射部３６を有している。入射部３１は、光源６０の表示方向に位置している。入射部３１は、光源６０から放射された光をポインタ２３に入射させる。反射部３６は、入射部３１の表示方向に形成されている。反射部３６は、入射部３１の全域と表示方向にて重なるよう、形成されている。反射部３６は、表示板５０の径方向おいて、指針反射部３６と対向している。反射部３６は、入射部３１から導光部２８内に入射した光を、径方向外側に位置する指針部２５に向けて反射させる。
【００２１】
図２，３に示す光源６０及びステッパーモータ８１は、メータ制御部８０等と共に回路基板４０に実装されている。光源６０は、例えば発光ダイオードである。光源６０は、遮光壁４６にて囲まれた領域に配置されており、発光領域２６を発光させるための光を放出させる。光源６０は、メータ制御部８０に接続されており、メータ制御部８０から出力される駆動信号に基づいて、光を放射させる。
【００２２】
ステッパーモータ８１は、指針２０を回転させる機構である。ステッパーモータ８１には、表示方向に突出する指針軸８２が形成されている。指針軸８２には、指針２０の軸部２９が外嵌されている。ステッパーモータ８１は、メータ制御部８０に接続されており、メータ制御部８０から出力される制御信号に基づいて、指針２０が取り付けられた指針軸８２を回転させる。
【００２３】
メータ制御部８０は、プログラムに基づいて作動するマイクロコンピュータ等によって構成されている。メータ制御部８０には、車載用のLocal Area Network（車内ＬＡＮ）９１、外部のバッテリ９５、及びイグニッション・リレー９４等が接続されている。車内ＬＡＮ９１上に設けられた電力供給制御回路９２は、運転者によるイグニッション・スイッチ９３の押圧操作を検知して、イグニッション・リレー９４に電圧を印加し、当該リレー９４を通電状態にする。すると、メータ制御部８０は、駆動信号によって、光源６０の発光を制御する。またメータ制御部８０は、制御信号によって、ステッパーモータ８１による指針軸８２及び指針２０の回転変位を制御する。以上により、コンビネーションメータ１００は、図１に示すような車両の走行速度に応じた指針表示を、スピードメータ１０に形成させる。
【００２４】
次に、図２に示す指針２０に設けられた反射部３６及び入射部３１の構成の詳細を、図４〜８に基づいて、さらに説明する。尚、以下の説明において、入射部３１に入射する光を入射光とし、入射光の光軸をＯＡＸ_ｉとする（図７参照）。また、反射部３６によって反射される光を反射光とし、反射光の光軸をＯＡＸ_ｒとする（図６参照）。さらに、指針２０の回転中心を規定する回転軸線をＲＡＬとする（図２，７参照）。入射光の光軸ＯＡＸ_ｉは、回転軸線ＲＡＬに沿っている。
【００２５】
図４〜６に示ように、反射部３６は、互いに離間した複数の傾斜面３７に分割されている。各傾斜面３７は、表示板５０（図２参照）の径方向において重ならないよう、互いに表示方向にずらされている。各傾斜面３７は、回転軸線ＲＡＬ（図２参照）に直交する平面に対して、傾斜した姿勢に形成されている。各傾斜面３７の傾斜角度αは、入射光の光軸ＯＡＸ_ｉに沿って各傾斜面３７に入射する光が指針部２５に向けて全反射されるよう、規定されている。上述したようにポインタ２３がアクリル樹脂によって形成される場合、スネルの法則に基づいて、各傾斜面３７の傾斜角度αは、入射光の光軸ＯＡＸ_ｉに直交する平面に対し４２．９°に規定される。各傾斜面３７は、入射光の光軸ＯＡＸ_ｉに対して傾斜した姿勢を維持しつつ、中心軸線ＣＡＬまわりに、この中心軸線ＣＡＬの周方向に沿って延伸している。中心軸線ＣＡＬは、回転軸線ＲＡＬ（図２参照）に沿って規定されており、導光部２８及び指針部２５の仮想の境界面ＢＰと、指針２０における幅方向の中心線ＣＬとの交点を通過している。
【００２６】
各傾斜面３７の間には、これらの傾斜面３７を連結する連結面３８が設けられている。各連結面３８は、回転軸線ＲＡＬ（図２参照）に直交する平面と実質的に平行とされており、各傾斜面３７にて反射された反射光の光軸ＯＡＸ_ｒに沿う姿勢に形成されている。各連結面３８は、回転軸線ＲＡＬに直交する平面に沿った姿勢を維持しつつ、中心軸線ＣＡＬまわりを周方向に延伸している。
【００２７】
以上の各傾斜面３７及び各連結面３８を形成している外表面の全体の傾斜角度をβ_１とすると、この傾斜角度β_１は、例えば回転軸線ＲＡＬ（図２参照）と直交する平面に対して、９〜１０°程度とされている。このように、傾斜面３７及び連結面３８よりなる外表面全体の傾斜角度β_１は、上述した個々の傾斜面３７の傾斜角度αよりも、小さくなる。
【００２８】
図７，８に示すように、入射部３１は、基準面３２、複数の円柱体３３、及び複数のレンズ面３４を有している。基準面３２は、中心軸線ＣＡＬに直交する平面に沿う平坦な平面として形成され、入射光の光軸ＯＡＸ_ｉと交差する姿勢とされている。円柱体３３は、回転軸線ＲＡＬに沿って反射部３６から離間する方向に、基準面３２から突出している。円柱体３３は、突出方向の頂面３３ａにレンズ面３４を形成している。レンズ面３４は、背面方向に凸状に湾曲する形状により、光源６０（図２参照）から放射された光を屈折させつつ、導光部２８に入射させる。レンズ面３４は、屈折作用によって、反射部３６に光を集光させる。こうしたレンズ面３４を形成する円柱体３３は、熱かしめ部２２を避けつつ、中心軸線ＣＡＬまわりに、周方向及び径方向のそれぞれに沿って並べられている。熱かしめ部２２は、キャップ２１を導光部２８に熱かしめによって固定させるための構成である。
【００２９】
以上のレンズ面３４は、反射部３６において焦点を結ぶよう、形状及び配置を調整されている。具体的には、各レンズ面３４を形成する各円柱体３３は、複数の円柱体群１３３ａ，１３３ｂ，１３３ｃ，１３３ｄ・・・に分けられている。一つの円柱体群に属する各円柱体３３には、実質的に同一の形状で湾曲するレンズ面３４が形成されている。一つの円柱体群に属する各円柱体３３の高さは、指針部２５から離れて位置するものほど、高く規定されている。以上により、表示方向におけるレンズ面３４と反射部３６との距離が一定に維持される。よって、各レンズ面３４は、反射部３６にて焦点を結ぶことができる。
【００３０】
加えて、円柱体群１３３ｂよりも指針部２５から離れて位置する円柱体群１３３ａの各レンズ面３４における湾曲の曲率は、円柱体群１３３ｂの各レンズ面３４における湾曲の曲率よりも、大きく設定されている。同様に、円柱体群１３３ｃよりも指針部２５から離れて位置する円柱体群１３３ｂの各レンズ面３４における湾曲の曲率は、円柱体群１３３ｃの各レンズ面３４における湾曲の曲率よりも、大きく設定されている。このようにして、円柱体群毎にレンズ面３４の焦点距離が設定されることによれば、各レンズ面３４は、基準面３２に対して傾斜した姿勢の反射部３６に、適確に焦点を結ぶことができる。
【００３１】
以上の構成によれば、図２に示す如く、光源６０から放射された光は、遮光壁４６の内側を進み、開口５３から入射部３１に向けて出射される。入射部３１に到達した光は、図７に示す如く、レンズ面３４にて屈折されつつ、入射光として導光部２８に入射される。レンズ面３４の集光作用によって各傾斜面３７に集光された光は、各傾斜面３７により、反射光として指針部２５に反射される。図２に示す如く、指針部２５に到達した反射光は、指針反射面２７によってさらに表示方向に反射されて、発光領域２６から出射される。
【００３２】
ここまで説明した第一実施形態では、反射部３６が複数の傾斜面３７に分割されているので、各傾斜面３７の最適な傾斜角度αを維持しつつ、各傾斜面３７及び各連結面３８からなる外表面全体の傾斜角度β_１を抑えることができる。故に、指針２０において反射部３６の設けられる範囲を拡大したとしても、光軸ＯＡＸ_ｉに沿った方向での反射部３６の寸法は、抑制され得る。
【００３３】
加えて、レンズ面３４が反射部３６に光を集光させるので、反射部３６から指針部２５へと反射される光は、増加し得る。それだけでなく、第一実施形態では、反射部３６が薄型化されているので、レンズ面３４の焦点が合う反射部３６の領域は、いっそう拡大され得る。故に、反射部３６から指針部２５へと反射される光は、さらに多く確保され得る。
【００３４】
これらにより、反射部３６を薄型化したうえで、発光領域２６を明るく発光させることができるようになる。したがって、指針２０は、優れた見映えを獲得できる。
【００３５】
加えて第一実施形態によれば、各連結面３８が反射光の光軸ＯＡＸ_ｒに沿う姿勢であるため、反射光は、各連結面３８に妨げられることなく、指針部２５に向かい得る。さらに、入射光の光軸ＯＡＸ_ｉと直交する平面に沿った姿勢に形成されることで、傾斜の角度を抑えられた各連結面３８の形状は、反射部３６の薄型化にいっそう寄与し得る。したがって、上述の連結面３８の形状は、反射部３６を薄型化させつつ発光領域２６の輝度を高く維持するのに好適なのである。
【００３６】
また第一実施形態では、入射部３１に複数のレンズ面３４が形成されているので、各レンズ面３４を通過した光が反射部３６において最も集光されるように、各レンズ面３４の焦点位置を最適に設定することが可能となる。具体的に第一実施形態では、複数の円柱体３３の各頂面３３ａにそれぞれレンズ面３４を設ける構成により、各レンズ面３４の焦点が結ばれる位置は、各円柱体３３の高さ変更によって調整可能となっている。これにより、各レンズ面３４の湾曲形状をレンズ面毎に緻密に設定しなくても、反射部３６から指針部２５へと反射される光は、増加し得る。したがって、発光領域２６の発光輝度を向上させて、指針２０の見映えをいっそう高めることが可能となる。
【００３７】
また加えて第一実施形態では、各レンズ面３４の湾曲の曲率は、指針部２５から離れて位置する円柱体群のレンズ面３４ほど、大きく設定されている。これにより、各レンズ面３４の焦点距離は、指針部２５から離れたレンズ面３４ほど、短くなる。故に、各レンズ面３４の焦点の位置は、指針部２５から離れるほど入射部３１に近接する形状の反射部３６に、合い易くなる。したがって、反射部３６から指針部２５へと反射される光を増加させて、発光領域２６の発光輝度を高めることが可能となる。
【００３８】
さらに加えて第一実施形態では、特定の中心軸線ＣＡＬまわりに各傾斜面３７が延伸しているので、指針２０が回転しても、指針部２５に反射される光の量の変動は、抑制され得る。さらに、複数のレンズ面３４は、中心軸線ＣＡＬまわりに並べられることで、傾斜面３７に沿った配列とされている。故に、指針２０が回転しても、光源６０からの光は、各レンズ面３４に安定的に入射して、反射部３６に適確に集光され得る。したがって、回転する指針２０においても、指針部２５へと反射される光を安定的に増加させて、発光領域２６の発光輝度を高く維持することが可能となる。
【００３９】
そして第一実施形態のように、反射部３６が薄型化され、かつ、発光領域２６を高輝度にて発光可能な指針２０が光源６０及び表示板５０と組み合されることで、指針２０及び表示板５０の協働による情報の表示は、優れた見映えを獲得できる。したがって、上述した指針２０は、光源６０及び表示板５０と組み合わされることで、コンビネーションメータ１００の見映え向上に顕著に寄与できるのである。
【００４０】
尚、第一実施形態において、指針部２５が特許請求の範囲に記載の「延伸部」に相当し、円柱体３３が特許請求の範囲に記載の「突出体」に相当し、表示板５０が特許請求の範囲に記載の「表示部材」に相当し、コンビネーションメータ１００が特許請求の範囲に記載の「指針表示装置」に相当する。
【００４１】
（第二実施形態）
図９，１０に示す本発明の第二実施形態は、第一実施形態の変形例である。第二実施形態による指針２２０は、第一実施形態の反射部３６及び入射部３１（共に図６を参照）に相当する、反射部２３６及び入射部２３１を有している。
【００４２】
反射部２３６は、互いに離間した複数の傾斜面２３７に分割されている。傾斜面２３７は、第一実施形態の傾斜面３７（図６参照）に相当する構成である。互いに隣接する傾斜面２３７は、表示板５０（図２参照）の径方向において、部分的に重なるように配置されている。これにより、各傾斜面２３７の間に設けられる各連結面２３８は、回転軸線ＲＡＬ（図２参照）に直交する平面に対して傾斜した姿勢に形成されている。各連結面２３８は、各傾斜面２３７と実質的に直交する姿勢に形成されている。各連結面２３８は、各傾斜面２３７に対する傾斜角度を維持しつつ、中心軸線ＣＡＬまわりを周方向に延伸している。
【００４３】
以上の各傾斜面２３７及び各連結面２３８によって形成される外表面の全体の傾斜角度β_２は、第一実施形態による指針２０の傾斜角度β_１（図６参照）と同程度とされている。故に、このような連結面２３８の傾斜によれば、各傾斜面２３７の面積は、第一実施形態による傾斜面３７（図６参照）よりも拡大可能となる。尚、以上の連結面２３８の形状では、傾斜面２３７から指針部２５に向かう反射光の一部は、連結面２３８によって妨げられてしまう。しかし、各傾斜面２３７の面積が拡大されているため、各傾斜面２３７から指針部２５へと到達する光の量は、維持され得る。
【００４４】
入射部２３１には、背面方向に凸状に湾曲する形状の複数のレンズ面２３４が形成されている。レンズ面２３４は、第一実施形態のレンズ面３４（図６参照）に相当する構成である。各レンズ面２３４は、光源６０（図２参照）から放射された光を屈折させつつ、導光部２２８に入射させる。各レンズ面２３４は、屈折作用によって、反射部２３６に光を集光させる。各レンズ面２３４は、熱かしめ部２２を避けつつ、中心軸線ＣＡＬの径方向に連続して形成されている。各レンズ面２３４は、中心軸線ＣＡＬまわりに、周方向に沿って延伸している。  以上のレンズ面２３４は、反射部２３６において焦点を結ぶよう、形状を調整されている。具体的には、指針部２５から離れて位置するレンズ面２３４ほど、湾曲の曲率が大きく設定されることで、焦点距離が短縮されている。以上により、各レンズ面２３４は、対向する反射部２３６に適確に焦点を結ぶことができる。
【００４５】
以上の構成によれば、図９に示す如く、入射部２３１に向けて開口５３（図２参照）から出射される光は、レンズ面２３４にて屈折されつつ、入射光として導光部２２８に入射される。レンズ面２３４の集光作用によって各傾斜面２３７に集光された光は、各傾斜面２３７によって、反射光として指針部２５に反射されて、発光領域２６から表示方向に出射される。
【００４６】
ここまで説明した第二実施形態でも、反射部２３６が複数の傾斜面２３７に分割されているため、第一実施形態と同様の効果を奏し、反射部２３６を薄型化したうえで、発光領域２６を明るく発光させることが可能となる。
【００４７】
加えて第二実施形態では、傾斜面２３７と同様に、レンズ面２３４も、特定の中心軸線ＣＡＬまわりに延伸している。故に、指針２２０が回転しても、光源６０からの光は、各レンズ面２３４に安定的に入射して、反射部２３６に適確に集光され得る。これにより、指針２２０が回転しても、指針部２５に反射される光の量の変動は、抑制され得る。したがって、回転する指針２２０においても、指針部２５へと反射される光を安定的に増加させて、発光領域２６の発光輝度を高く維持することが可能となる。
【００４８】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００４９】
上記第一実施形態において、レンズ面３４は、円柱体３３の頂面３３ａに形成されていた。しかし、円柱体が省略されることにより、各レンズ面が、例えば基準面から凸状に突出するような形状に形成されていてもよい。また、レンズ面の外形形状は、円状でなくてもよい。例えば入射部は、三角形又は六角形の外形形状を有するレンズ面を平面充填させたような形態であってもよい。
【００５０】
上記実施形態において、入射部には複数のレンズ面が形成されていた。しかし、入射部に形成されるレンズ面は、一つであってもよい。また、各レンズ面の焦点の位置は、厳密に反射部に合っていなくてもよい。
【００５１】
上記第一実施形態のように、基準面３２から突出する「突出体」は、その高さ調整により反射部にて光を最も集光せることができれば、円柱状でなくてもよい。例えば、角柱状に形成された突出体の頂面にレンズ面が形成されていてもよい。又は、中心軸線ＣＡＬまわりに、周方向に沿って延設された延設壁の頂面に、レンズ面が形成されていてもよい。こうした「突出体」としての延設壁は、中心軸線ＣＡＬの周方向に沿って複数並べられていてもよい。
【００５２】
上記第一実施形態では、複数の円柱体の各頂面に、同一形状のレンズ面が形成されていた。しかし、各円柱体の頂面に形成されるレンズ面の湾曲形状は、互いに異なっていてもよい。
【００５３】
上記第一実施形態において、連結面３８は、回転軸線ＲＡＬに沿って入射する入射光を透過させる構成であった。こうした連結面は、アルミ等の蒸着によって形成される被膜によって、反射作用を発揮する構成とされてもよい。以上の構成によれば、連結面を通じて導光部から漏れ出る光を低減させることができる。故に、発光領域の輝度をさらに向上させることが可能となる。
【００５４】
上記実施形態において、指針は、アクリル樹脂によって形成されていた。しかし、指針を形成する材料は、透光性を備えていれば、例えばポリカーボネート樹脂等に、適宜変更されてよい。尚、各傾斜面の傾斜角度は、指針の形成材料に応じて、全反射を生じさせることができるように、適宜調整されることが望ましい。
【００５５】
以上、車両に搭載されるコンビネーションメータにおいて、車両の走行速度を表示するスピードメータの指針に、本発明を適用した例を説明した。しかし、本発明による指針は、スピードメータに限らず、例えばタコメータ、燃料計、及び水温計等に採用することができる。さらに、車両用に限らず、各種民生用機器、各種輸送機器等に用いられる表示装置全般の指針に、本発明は適用されてよい。
【符号の説明】
【００５６】
ＲＡＬ  回転軸線、ＣＡＬ  中心軸線、ＯＡＸ_ｉ  入射光の光軸、ＯＡＸ_ｒ  反射光の光軸、２０，２２０  指針、２５  指針部（延伸部）、２６  発光領域、３１，２３１  入射部、３２  基準面、３３  円柱体（突出体）、３３ａ  頂面、３４，２３４  レンズ面、３６，２３６  反射部、３７，２３７  傾斜面、３８，２３８  連結面、５０  表示板（表示部材）、５１  表示面、６０  光源、１００  コンビネーションメータ（指針表示装置）
【図１】
2014163701.tif 000003
【図２】
2014163701.tif 000004
【図３】
2014163701.tif 000005
【図４】
2014163701.tif 000006
【図５】
2014163701.tif 000007
【図６】
2014163701.tif 000008
【図７】
2014163701.tif 000009
【図８】
2014163701.tif 000010
【図９】
2014163701.tif 000011
【図１０】
2014163701.tif 000012